(57)【要約】【課題】シュラウドを２段構成にして、送風効率を向上させることができる送風装置を提供する。【解決手段】送風装置１は、送風ボックス２及びファン５を備える。吹出口２２には、筒形状の第１シュラウド３と、第１シュラウド３に対して送風ボックス２の内方側Ｄ１から対向する、筒形状の第２シュラウド４とが配置されている。第１シュラウド３の内方部分３１の流路断面積は、送風ボックス２の外方側Ｄ２に行くほど小さくなっている。第２シュラウド４における外方開口部４２１の流路断面積は、第１シュラウド３における内方開口部３１１の流路断面積よりも小さい。第２シュラウド４における外方開口部４２１と、第１シュラウド３における内方開口部３１１との間には、送風ボックス２内の内気Ａ１が第２シュラウド４及び第１シュラウド３を通過する際に送風ボックス２内の内気Ａ１を引き込むための環状流路３５が形成されている。【選択図】図１
2019167944.tif 000002
【特許請求の範囲】
【請求項１】
壁部によって囲まれ、前記壁部に、外気が吸い込まれるための吸込口及び内気を吹き出すための吹出口が形成された送風ボックスと、
前記吹出口に対して前記送風ボックスの内方側から対向して配置され、回転することによって前記送風ボックス内の内気を前記吹出口へ送り出すためのファンと、を備え、
前記吹出口には、
前記壁部から前記送風ボックスの外方側へ突出し、少なくとも前記送風ボックスの内方側に位置する部分の流路断面積が、前記送風ボックスの外方側に行くほど小さくなる筒形状の第１シュラウドと、
前記第１シュラウドに対して前記送風ボックスの内方側から対向する、筒形状の第２シュラウドと、が配置されており、
前記第２シュラウドにおける、前記送風ボックスの外方側に位置する外方開口部の流路断面積は、前記第１シュラウドにおける、前記送風ボックスの内方側に位置する内方開口部の流路断面積よりも小さく、
前記第２シュラウドにおける、前記送風ボックスの外方側に位置する外方開口部と、前記第１シュラウドにおける、前記送風ボックスの内方側に位置する内方開口部との間には、前記送風ボックス内の内気が前記第２シュラウド及び前記第１シュラウドを通過する際に前記送風ボックス内の内気を引き込むための環状流路が形成されている、送風装置。
【請求項２】
前記第１シュラウドの中心軸線と、前記第２シュラウドの中心軸線と、前記ファンの回転軸線とは、互いに平行な状態で合わさっており、
前記ファンの少なくとも一部は、前記第２シュラウドの径方向内側に配置されている、請求項１に記載の送風装置。
【請求項３】
前記第２シュラウドにおける、少なくとも前記送風ボックスの内方側に位置する部分の流路断面積は、前記送風ボックスの外方側に行くほど小さくなっている、請求項１又は２に記載の送風装置。
【請求項４】
前記第１シュラウドにおける、前記送風ボックスの内方側に位置する部分は、前記第１シュラウドの径方向内側へ膨らむ曲面形状に形成されている、請求項１〜３のいずれか１項に記載の送風装置。
【請求項５】
前記第２シュラウドにおける、前記送風ボックスの内方側に位置する部分は、前記第２シュラウドの径方向内側へ膨らむ曲面形状に形成されている、請求項１〜４のいずれか１項に記載の送風装置。
【請求項６】
前記第２シュラウドにおける、前記送風ボックスの外方側に位置する部分は、前記第１シュラウドにおける、前記送風ボックスの内方側に位置する部分の径方向内側に対向する位置に配置されている、請求項１〜５のいずれか１項に記載の送風装置。
【請求項７】
前記第１シュラウドにおける、前記送風ボックスの外方側に位置する外方開口部の流路断面積は、前記第２シュラウドにおける、前記送風ボックスの外方側に位置する外方開口部の流路断面積以上である、請求項１〜６のいずれか１項に記載の送風装置。
【請求項８】
前記送風装置は、ヒートポンプ式空調機の室外機を構成しており、
前記第１シュラウド及び前記第２シュラウドは、前記送風ボックスにおける上側の壁部に配置されており、
前記送風ボックス内における、前記第１シュラウド、前記第２シュラウド及び前記ファンの下方であって、前記吸込口に対して前記送風ボックスの内方側から対向する位置には、熱交換器が配置されている、請求項１〜７のいずれか１項に記載の送風装置。
【発明の詳細な説明】
【技術分野】
【０００１】
本発明は、送風ボックス内にファンが配置された送風装置に関する。
【背景技術】
【０００２】
ファンを有する送風装置は、空調機の室外機等として使用される。空調機の室外機としての送風装置内には、ファンの他、室内機と室外機とを循環する熱媒体と外気との熱交換を行う熱交換器、熱媒体を圧縮する圧縮機等が配置されている。送風装置の送風ボックスには、ファンが回転する際に熱交換器へ外気を吸い込むための吸込口と、ファンが回転する際に熱交換器による熱交換後の内気を吹き出すための吹出口とが設けられている。
【０００３】
このような送風装置としては、例えば、特許文献１に記載されたものがある。特許文献１の送風装置の送風ボックス（パッケージ）の上側の壁部には、吹出口が形成されており、吹出口には、筒状のシュラウドが外方へ突出して形成されている。そして、特許文献１においては、シュラウドの外方端部とファンの外方端部との位置関係を適切にして、ファンを大型化せずに、送風量を増大させる工夫をしている。
【先行技術文献】
【特許文献】
【０００４】
【特許文献１】特開２００９−２６４３９０号公報
【発明の概要】
【発明が解決しようとする課題】
【０００５】
しかしながら、送風装置における送風量を、シュラウドの構成によって増大させるためには、特許文献１の送風装置によっても十分ではなく、改善の余地がある。本願発明者は、シュラウドの構成に更に工夫をし、ファンの性能（動力）を維持したままで、送風量を増大させることができる、新たなシュラウドの構成を見出した。
【０００６】
本発明は、かかる課題に鑑みてなされたもので、シュラウドを２段構成にして、送風効率を向上させることができる送風装置を提供しようとして得られたものである。
【課題を解決するための手段】
【０００７】
本発明の一態様は、壁部によって囲まれ、前記壁部に、外気が吸い込まれるための吸込口及び内気を吹き出すための吹出口が形成された送風ボックスと、
前記吹出口に対して前記送風ボックスの内方側から対向して配置され、回転することによって前記送風ボックス内の内気を前記吹出口へ送り出すためのファンと、を備え、
前記吹出口には、
前記壁部から前記送風ボックスの外方側へ突出し、少なくとも前記送風ボックスの内方側に位置する部分の流路断面積が、前記送風ボックスの外方側に行くほど小さくなる筒形状の第１シュラウドと、
前記第１シュラウドに対して前記送風ボックスの内方側から対向する、筒形状の第２シュラウドと、が配置されており、
前記第２シュラウドにおける、前記送風ボックスの外方側に位置する外方開口部の流路断面積は、前記第１シュラウドにおける、前記送風ボックスの内方側に位置する内方開口部の流路断面積よりも小さく、
前記第２シュラウドにおける、前記送風ボックスの外方側に位置する外方開口部と、前記第１シュラウドにおける、前記送風ボックスの内方側に位置する内方開口部との間には、前記送風ボックス内の内気が前記第２シュラウド及び前記第１シュラウドを通過する際に前記送風ボックス内の内気を引き込むための環状流路が形成されている、送風装置にある。
【発明の効果】
【０００８】
前記一態様の送風装置においては、送風ボックスの吹出口に配置されたシュラウドを、第１シュラウドと第２シュラウドとの２段構成にしている。
具体的には、送風装置は、第１シュラウドに対して第２シュラウドが、送風ボックスの内方側から対向する構造を有する。また、第１シュラウドは、送風ボックスの壁部から外方側へ突出し、少なくとも送風ボックスの内方側に位置する部分の流路断面積が、送風ボックスの外方側に行くほど小さくなる筒形状に形成されている。また、第２シュラウドにおける外方開口部の流路断面積は、第１シュラウドにおける内方開口部の流路断面積よりも小さく、第２シュラウドにおける外方開口部と、第１シュラウドにおける内方開口部との間には、環状流路が形成されている。
【０００９】
第１シュラウドにおける、少なくとも送風ボックスの内方側に位置する部分の流路断面積が、送風ボックスの外方側に行くほど小さくなっていることにより、第２シュラウドにおける外方開口部から第１シュラウド内に内気が流れる際に、環状流路へ送風ボックス内の内気が引き込まれやすい状態を形成することができる。
【００１０】
そして、ファンの回転によって吹出口から送風ボックス内の内気が吹き出されるときには、この内気は第２シュラウド内及び第１シュラウド内を通過する。このとき、ファンによる気流が直接的に形成される第２シュラウド内の流速により、第２シュラウドにおける外方開口部の周囲の圧力が低くなって、環状流路へ効果的に内気を引き込むことができる。
【００１１】
これにより、ファンが回転する際に、第１シュラウドにおける、送風ボックスの外方側に位置する外方開口部から吹き出される内気の単位時間当たりの送風量を効果的に増加させることができる。そのため、ファンの性能（動力）を維持したまま、吹出口から吹き出される内気の送風量を増加させることができる。また、吹出口から吹き出される内気の送風量を維持するときには、ファンの動力を低減させることもできる。つまり、送風装置によれば、吹出口からの単位時間当たりの送風量を、ファンの動力によって除算して算出される、単位動力当たりの送風量としての送風効率を向上させることができる。
【００１２】
それ故、前記一態様の送風装置によれば、シュラウドを２段構成にして、送風効率を向上させることができる。
【図面の簡単な説明】
【００１３】
【図１】実施形態１にかかる、送風装置を示す断面図。
【図２】実施形態１にかかる、送風装置を示す、図１のII−II断面図。
【図３】実施形態１にかかる、送風装置が用いられたヒートポンプ式空調機を示す説明図。
【図４】実施形態２にかかる、送風装置を示す断面図。
【図５】実施形態２にかかる、他の送風装置を示す断面図。
【図６】実施形態２にかかる、他の送風装置を示す断面図。
【図７】実施形態２にかかる、他の送風装置を示す断面図。
【図８】実施形態２にかかる、他の送風装置を示す断面図。
【図９】実施形態２にかかる、他の送風装置を示す断面図。
【発明を実施するための形態】
【００１４】
前述した送風装置にかかる好ましい実施形態について、図面を参照して説明する。
＜実施形態１＞
本形態の送風装置１は、図１〜図３に示すように、送風ボックス２及びファン５を備える。送風ボックス２は、壁部２０１，２０２によって囲まれており、壁部２０１，２０２に、外気Ａが吸い込まれるための吸込口２１及び内気Ａ１を吹き出すための吹出口２２を有する。ファン５は、吹出口２２に対して送風ボックス２の内方側Ｄ１から対向して配置されており、回転することによって送風ボックス２内の内気Ａ１を吹出口２２へ送り出すものである。
【００１５】
吹出口２２には、壁部２０１から送風ボックス２の外方側Ｄ２へ突出する、筒形状の第１シュラウド３と、第１シュラウド３に対して送風ボックス２の内方側Ｄ１から対向する、筒形状の第２シュラウド４とが配置されている。第１シュラウド３の少なくとも送風ボックス２の内方側Ｄ１に位置する内方部分３１の流路断面積は、送風ボックス２の外方側Ｄ２に行くほど小さくなっている。
【００１６】
第２シュラウド４における、送風ボックス２の外方側Ｄ２に位置する外方開口部４２１の流路断面積は、第１シュラウド３における、送風ボックス２の内方側Ｄ１に位置する内方開口部３１１の流路断面積よりも小さい。第２シュラウド４における、送風ボックス２の外方側Ｄ２に位置する外方開口部４２１と、第１シュラウド３における、送風ボックス２の内方側Ｄ１に位置する内方開口部３１１との間には、送風ボックス２内の内気Ａ１が第２シュラウド４及び第１シュラウド３を通過する際に送風ボックス２内の内気Ａ１を引き込むための環状流路３５が形成されている。
【００１７】
本形態において、送風ボックス２の内方側Ｄ１とは、第１シュラウド３及び第２シュラウド４の中心軸線Ｃ１が延びる軸方向Ｄの内方側Ｄ１のことをいう。また、送風ボックス２の外方側Ｄ２とは、第１シュラウド３及び第２シュラウド４の中心軸線Ｃ１が延びる軸方向Ｄの外方側Ｄ２のことをいう。
【００１８】
また、各シュラウド３，４における「流路断面積」とは、各シュラウド３，４のそれぞれを単独で見たときに、軸方向Ｄに直交する面の断面積のことをいう。
【００１９】
以下に、本形態の送風装置１について詳説する。
図３に示すように、送風装置１は、ヒートポンプ式空調機６の室外機を構成する。特に、本形態のヒートポンプ式空調機６は、ガスヒートポンプ式の業務用空調機である。そして、送風装置１内には、熱媒体Ｂと外気Ａとの熱交換を行う熱交換器６１、熱媒体Ｂを圧縮する圧縮機６２、圧縮機６２を作動させるガスエンジン６３、及びガスエンジン６３の排気ガスの排熱を熱媒体Ｂに回収する排熱回収器（図示略）等が配置されている。ヒートポンプ式空調機６は、熱媒体Ｂの圧縮、凝縮、膨張及び蒸発のサイクルを繰り返して、室内機６５が配置された室内の冷暖房を行うものである。
【００２０】
なお、送風装置１を適用するヒートポンプ式空調機６は、ガスエンジン６３の代わりに電気モータを用いた、電気ヒートポンプ式空調機としてもよい。この場合には、排熱回収器は用いられない。
【００２１】
図１及び図３に示すように、送風装置１の送風ボックス２は、上下の壁部２０１及び４つの側方の壁部２０２を有する直方体形状に形成されている。吹出口２２は、送風ボックス２の上側の壁部２０１に形成されており、第１シュラウド３及び第２シュラウド４は、送風ボックス２における上側の壁部２０１の吹出口２２に配置されている。また、ファン５は、第２シュラウド４内に配置されている。
【００２２】
また、本形態の送風装置１は、第１シュラウド３、第２シュラウド４及びファン５を２組備える。そして、第１シュラウド３、第２シュラウド４及びファン５は、送風ボックス２の上側の壁部２０１において、２組配置されている。なお、送風ボックス２には、第１シュラウド３、第２シュラウド４及びファン５が１組又は３組以上配置されていてもよい。
【００２３】
送風ボックス２内の熱交換器６１は、第１シュラウド３、第２シュラウド４及びファン５の下方であって、吸込口２１に対して送風ボックス２の内方側Ｄ１から対向する位置に配置されている。熱交換器６１へ外気Ａを吸い込むための吸込口２１は、送風ボックス２の側方の壁部２０２に形成されている。本形態においては、送風ボックス２内に、圧縮機６２及びガスエンジン６３が配置された状態を示す。圧縮機６２及びガスエンジン６３は、送風ボックス２の外部に配置されていてもよい。
【００２４】
図１及び図２に示すように、本形態の第１シュラウド３及び第２シュラウド４は、円筒形状を有する。第１シュラウド３及び第２シュラウド４は、円筒形状以外の、例えば、楕円形状、オーバル形状、多角形状等に形成することも可能である。第１シュラウド３の中心軸線Ｃ１と、第２シュラウド４の中心軸線Ｃ１と、ファン５の回転軸線Ｃ２とは、互いに平行な状態で合わさっている。言い換えれば、第１シュラウド３の軸心と、第２シュラウド４の軸心と、ファン５の軸心とは、互いに一致している。
【００２５】
第１シュラウド３の内周側には、内気Ａ１が通過する第１流路３０が形成されている。第２シュラウド４の内周側には、内気Ａ１が通過する第２流路４０が形成されている。各シュラウド３，４における「流路断面積」とは、第１流路３０又は第２流路４０の断面積のことをいう。
【００２６】
第１シュラウド３における、送風ボックス２の内方側Ｄ１に位置する内方部分３１は、第１シュラウド３の径方向内側Ｒ１へ膨らむ曲面形状に形成されている。また、第１シュラウド３における、送風ボックス２の外方側Ｄ２に位置する外方部分３２は、円錐台状（テーパ平面形状）に形成されている。そして、本形態の第１シュラウド３は、送風ボックス２の外方側Ｄ２に行くほど流路断面積が小さくなる形状に形成されている。第１シュラウド３は、ホーン形状（又はラッパ形状）に近い形状を有する。
【００２７】
第２シュラウド４における、送風ボックス２の内方側Ｄ１に位置する内方部分４１の流路断面積は、送風ボックス２の外方側Ｄ２に行くほど小さくなっている。また、第２シュラウド４における内方部分４１は、第２シュラウド４の径方向内側Ｒ１へ膨らむ曲面形状に形成されている。また、第２シュラウド４における、送風ボックス２の外方側Ｄ２に位置する外方部分４２は、円筒状に形成されている。言い換えれば、第２シュラウド４における外方部分４２の流路断面積は、一定になっている。第２シュラウド４は、変形したホーン形状（又はラッパ形状）を有する。
【００２８】
図１及び図２に示すように、ファン５は、中心軸部５１と、中心軸部５１の周りに放射状に設けられた複数のブレード５２とを有する。ファン５は、モータによって周方向の一方へ回転駆動され、吸込口２１から吹出口２２への気流を形成するよう構成されている。本形態のファン５は、第２シュラウド４における内方部分４１の径方向内側Ｒ１に配置されている。第２シュラウド４の内周面と、ファン５の複数のブレード５２の先端部との間の隙間Ｓは、送風の損失が小さくなるよう極力狭くなっている。
【００２９】
第２シュラウド４における外方部分４２は、第１シュラウド３における内方部分３１の径方向内側Ｒ１に対向する位置に配置されている。言い換えれば、第２シュラウド４における外方開口部４２１は、第１シュラウド３内に配置されている。この場合には、第１シュラウド３の内周面と第２シュラウド４の外周面との間に環状流路３５をより適切に形成することができる。
【００３０】
また、第１シュラウド３における、送風ボックス２の外方側Ｄ２に位置する外方開口部３２１の流路断面積は、第２シュラウド４における、送風ボックス２の外方側Ｄ２に位置する外方開口部４２１の流路断面積よりも大きい。本形態においては、第１シュラウド３における外方開口部３２１の直径は、第２シュラウド４における外方開口部４２１の直径よりも大きい。この場合には、第２シュラウド４を流れる内気Ａ１と、環状流路３５を流れる内気Ａ１とが合流した合流内気Ａ２（内気Ａ１）が、第１シュラウド３内を流れる際に、この合流内気Ａ２の流れが第１シュラウド３における外方開口部３２１によって制限されないようにすることができる。
【００３１】
なお、第１シュラウド３における外方開口部３２１の流路断面積又は直径と、第２シュラウド４における外方開口部４２１の流路断面積又は直径とは、ほぼ同じにしてもよい。
【００３２】
詳細は省略するが、第２シュラウド４は、支持部材４３等によって第１シュラウド３に支持されている。また、ファン５を回転させるモータ等が配置された駆動部は、第２シュラウド４に支持されている。なお、ファン５の駆動部が送風ボックス２に支持され、第２シュラウド４が送風ボックス２又はファン５の駆動部に支持されていてもよい。また、第２シュラウド４及びファン５は、送風ボックス２に設けられた支持部材、又は熱交換器６１に支持されていてもよい。
【００３３】
（送風装置１の動作）
次に、本形態の送風装置１の動作について説明する。
図３に示すように、送風装置１は、ヒートポンプ式空調機６の室内機６５によって室内を冷暖房する際に、室外機として動作する。送風装置１におけるファン５の回転により、吸込口２１から熱交換器６１へ外気Ａが吸い込まれる。そして、熱交換器６１において熱媒体Ｂと外気Ａとの熱交換が行われた後、この外気Ａが合流内気Ａ２として吹出口２２から送風ボックス２の外部へ吹き出される。
【００３４】
このとき、内気Ａ１は、ファン５による送風力によって、第２シュラウド４における内方開口部４１１から第２シュラウド４内へ吸い込まれる。そして、内気Ａ１が、第２シュラウド４における内方部分４１から、第２シュラウド４における外方部分４２へ通過する際に、第２シュラウド４の流路断面積が絞られることにより、内気Ａ１の流速が速くなる。また、内気Ａ１が、第１シュラウド３における内方部分３１から、第１シュラウド３における外方部分３２へ通過する際に、第１シュラウド３の流路断面積が絞られることによっても、内気Ａ１の流速が速くなる。
【００３５】
そして、内気Ａ１が第２シュラウド４内及び第１シュラウド３内を通過する際に、送風ボックス２内の内気Ａ１が、ベンチュリ効果によって、第１シュラウド３の内周面と第２シュラウド４の外周面との間の環状流路３５へ引き込まれる。第１シュラウド３内においては、第２シュラウド４から流れ込む内気Ａ１と、環状流路３５から流れ込む内気Ａ１とが合流するとともに、この合流内気Ａ２が流れる。こうして、この合流内気Ａ２は、第１シュラウド３における外方開口部３２１から外部へ吹き出される。
【００３６】
なお、図３に示すように、ヒートポンプ式空調機６の暖房時Ｘ１には、送風装置（室外機）１の熱交換器６１によって外気Ａから熱を奪った熱媒体Ｂが気化して、送風装置１の圧縮機６２へ流れ、圧縮機６２において圧縮されて加熱された後、室内機６５へ流れる。そして、この高温・高圧の熱媒体Ｂが、室内機６５の熱交換器６１内を流れる際に、室内の空気を加熱し、この熱媒体Ｂが冷却されて凝縮(液化)した後、再び送風装置１の熱交換器６１へ流れる。
【００３７】
また、ヒートポンプ式空調機６の冷房時Ｘ２には、送風装置１の圧縮機６２によって圧縮された高温・高圧の気体状の熱媒体Ｂが、送風装置１の熱交換器６１へ流れ、熱交換器６１において外気Ａに熱を奪われて凝縮し、液化する。そして、この液体状の熱媒体Ｂが室内機６５へ流れ、室内機６５の熱交換器６１内を流れる際に、室内の空気を冷却した後に気化し、再び送風装置１の圧縮機６２へ流れる。
【００３８】
送風装置１は、ヒートポンプ式空調機６の暖房時Ｘ１及び冷房時Ｘ２のいずれにおいても、吸込口２１から吹出口２２への送風量を増加させ、送風装置１の熱交換器６１における熱交換効率を高めることができる。
【００３９】
（作用効果）
本形態の送風装置１は、第１シュラウド３と第２シュラウド４との２段構成のシュラウドを吹出口２２に有する。そして、第２シュラウド４における軸方向Ｄの外方開口部４２１は、第１シュラウド３内に配置され、第１シュラウド３と第２シュラウド４との間に環状流路３５が形成されている。さらに、第１シュラウド３及び第２シュラウド４における、軸方向Ｄの内方側Ｄ１に位置する内方部分３１，４１は、軸方向Ｄの外方側Ｄ２に行くほど流路断面積が小さくなる形状に形成されている。この構成により、第２シュラウド４における外方開口部４２１から第１シュラウド３内に内気Ａ１が流れる際に、環状流路３５へ送風ボックス２内の内気Ａ１が引き込まれやすい状態を形成することができる。
【００４０】
ファン５の回転によって吹出口２２から送風ボックス２内の内気Ａ１が吹き出されるときには、この内気Ａ１は第２シュラウド４内及び第１シュラウド３内を通過する。このとき、ファン５による気流が直接的に形成される第２シュラウド４内の流速により、第２シュラウド３における外方開口部３２１の周囲の圧力が低くなって、環状流路３５へ効果的に内気Ａ１を引き込むことができる。
【００４１】
そして、ファン５が回転する際に、第１シュラウド３における外方開口部３２１から吹き出される内気Ａ１の単位時間当たりの送風量を効果的に増加させることができる。そのため、ファン５の動力を維持したまま、吹出口２２から吹き出される内気Ａ１の送風量を増加させることができる。また、吹出口２２から吹き出される内気Ａ１の送風量を維持するときには、ファン５の動力を低減させることもできる。つまり、送風装置１によれば、吹出口２２からの単位時間当たりの送風量を、ファン５の動力によって除算して算出される、単位動力当たりの送風量としての送風効率を向上させることができる。
【００４２】
それ故、本形態の送風装置１によれば、シュラウドを２段構成にして、送風効率を向上させることができる。また、この送風装置１の構成により、送風装置１内の熱交換器６１における熱交換効率を高めることができる。
【００４３】
なお、本形態の第１シュラウド３及び第２シュラウド４を備える送風装置１について、吹出口２２（第１シュラウド３における外方開口部３２１）から吹き出される送風量を計算するシミュレーションを行った。その結果、本形態の送風装置１の送風量は、第１シュラウド３及びファン５によって構成される（第２シュラウド４を備えない）送風装置の場合の送風量に比べて１．３〜１．４倍に増加するという結果が得られた。
【００４４】
＜実施形態２＞
本形態は、第１シュラウド３及び第２シュラウド４の構成が、実施形態１の構成と異なる種々の場合について示す。
【００４５】
図４に示すように、第２シュラウド４における外方開口部４２１は、第１シュラウド３における内方開口部３１１の径方向内側Ｒ１の位置にあってもよい。言い換えれば、第２シュラウド４における外方開口部４２１の軸方向Ｄの位置と、第１シュラウド３における内方開口部３１１の軸方向Ｄの位置とは、ほぼ同じであってもよい。この場合には、環状流路３５は、第２シュラウド４の外周側に形成される。
【００４６】
また、図５に示すように、第１シュラウド３の全体は、流路断面積が軸方向Ｄの内方側Ｄ１から外方側Ｄ２に行くほど小さくなる円錐台状（テーパ平面形状）に形成してもよい。この場合、第２シュラウド４の形状は、実施形態１の場合と同様にすることができる。
【００４７】
また、図６に示すように、第２シュラウド４の全体は、円筒状に形成してもよい。この第２シュラウド４における外方開口部４２１は、第１シュラウド３内に配置することができる。
【００４８】
一方、図７に示すように、円筒状の第２シュラウド４における外方開口部４２１の軸方向Ｄの位置と、第１シュラウド３における内方開口部３１１の軸方向Ｄの位置とは、ほぼ同じにすることもできる。この場合には、環状流路３５は、第１シュラウド３における内方開口部３１１と、第２シュラウド４における外方開口部４２１との間の開口部分として形成される。
【００４９】
また、図８に示すように、第１シュラウド３の全体を円錐台状に形成する場合に、第２シュラウド４の全体も円錐台状に形成してもよい。
【００５０】
また、図９に示すように、第１シュラウド３の形状は実施形態１と同様にし、第２シュラウド４の全体を円錐台状に形成してもよい。
【００５１】
第１シュラウド３及び第２シュラウド４の形状、第１シュラウド３と第２シュラウド４との配置位置の関係等は、本形態に示す以外の種々の形態とすることができる。ただし、第１シュラウド３及び第２シュラウド４が、軸方向Ｄの内方側Ｄ１から外方側Ｄ２に行くほど流路断面積が小さくなる形状を有さずに、軸方向Ｄの内方側Ｄ１から外方側Ｄ２に行くほど流路断面積が大きくなる形状を有する場合は好ましくない。この場合には、流路断面積が縮小する部分がないため、いわゆるベンチュリ効果が得られない。
【００５２】
また、第１シュラウド３における外方開口部３２１の流路断面積又は直径が、第２シュラウド４における外方開口部４２１の流路断面積又は直径よりも大幅に小さい場合は好ましくない。また、第１シュラウド３が、流路断面積が一定の円筒形状に形成されている場合も好ましくない。これらの好ましくない場合には、送風ボックス２内の内気Ａ１が第２シュラウド４及び第１シュラウド３を通過する際に、環状流路３５へ送風ボックス２内の内気Ａ１を引き込む効果が得られにくいと考えられる。
【００５３】
本形態の送風装置１における、その他の構成、作用効果等については、実施形態１の場合と同様である。また、本形態においても、実施形態１に示した符号と同一の符号が示す構成要素は、実施形態１の場合と同様である。
【００５４】
本発明は、各実施形態のみに限定されるものではなく、その要旨を逸脱しない範囲においてさらに異なる実施形態を構成することが可能である。また、本発明は、様々な変形例、均等範囲内の変形例等を含む。
【符号の説明】
【００５５】
１  送風装置
２  送風ボックス
２１  吸込口
２２  吹出口
３  第１シュラウド
３１１  内方開口部
３２１  外方開口部
３５  環状流路
４  第２シュラウド
４１１  内方開口部
４２１  外方開口部
５  ファン
Ａ  外気
Ａ１  内気
Ｄ１  内方側
Ｄ２  外方側
６  ヒートポンプ式空調機
６１  熱交換器
【図１】
2019167944.tif 000003
【図２】
2019167944.tif 000004
【図３】
2019167944.tif 000005
【図４】
2019167944.tif 000006
【図５】
2019167944.tif 000007
【図６】
2019167944.tif 000008
【図７】
2019167944.tif 000009
【図８】
2019167944.tif 000010
【図９】
2019167944.tif 000011